(57)【要約】【課題】発生するノイズを低減できる検査システム及び被検査物回転装置を提供する。【解決手段】断面の外形が円形状の被検査物ＯＢＪに接する複数のローラがそれぞれ設けられ、被検査物ＯＢＪを軸回りに回転可能にそれぞれ支持する第１の支持部２１及び第２の支持部２２を有する被検査物回転装置１２と、被検査物回転装置１２によって回転する被検査物ＯＢＪを検査する検査装置１６と、を備えた検査システム１０において、被検査物回転装置１２は、流体によって作動し、第１の支持部２１の少なくとも１つのローラを駆動するためのローラ駆動部１４ａ、１４ｂを有する。【選択図】図１
2014006120.tif 000002
【特許請求の範囲】
【請求項１】
断面の外形が円形状の被検査物に接する複数のローラがそれぞれ設けられ、前記被検査物を軸回りに回転可能にそれぞれ支持する第１の支持部及び第２の支持部を有する被検査物回転装置と、
前記被検査物回転装置によって回転する前記被検査物を検査する検査装置と、を備えた検査システムにおいて、
前記被検査物回転装置は、流体によって作動し、前記第１の支持部の少なくとも１つの前記ローラを駆動するためのローラ駆動部を有することを特徴とする検査システム。
【請求項２】
請求項１記載の検査システムにおいて、
前記ローラ駆動部は、圧力モータであり、
前記流体が流れる圧力伝達管が前記圧力モータに接続され、該圧力伝達管は、電気的に絶縁されていることを特徴とする検査システム。
【請求項３】
請求項２記載の検査システムにおいて、
前記検査装置は、超音波探傷装置であり、
前記圧力モータは、油圧モータであることを特徴とする検査システム。
【請求項４】
請求項３記載の検査システムにおいて、
前記被検査物回転装置は、前記各ローラの位置を変更する位置変更機構と、
前記位置変更機構を駆動するための電気モータと、
前記電気モータのシャフトの回転を拘束させるための拘束部と、
前記被検査物を検査している間は、前記電気モータの駆動電流の供給を停止するモータ制御器と、を更に有することを特徴とする検査システム。
【請求項５】
請求項４記載の検査システムにおいて、
前記拘束部は機械式ブレーキであることを特徴とする検査システム。
【請求項６】
被検査物を軸回りに回転させる駆動部を有する被検査物回転装置と、
前記被検査物回転装置によって回転する前記被検査物を検査する検査装置と、を備えた検査システムにおいて、
前記駆動部は、流体によって作動することを特徴とする検査システム。
【請求項７】
断面の外形が円形状の被検査物に接する複数のローラがそれぞれ設けられ、前記被検査物を軸回りに回転可能にそれぞれ支持する第１の支持部及び第２の支持部を有する被検査物回転装置において、
流体によって作動し、前記第１の支持部の少なくとも１つの前記ローラを駆動するためのローラ駆動部を有することを特徴とする被検査物回転装置。
【請求項８】
被検査物を軸回りに回転させる駆動部を有する被検査物回転装置において、
前記駆動部は、流体によって作動することを特徴とする被検査物回転装置。
【発明の詳細な説明】
【技術分野】
【０００１】
本発明は、検査システム及び被検査物回転装置に関する。
【背景技術】
【０００２】
特許文献１には、ターニングロールが記載されている。このターニングロールは、例えばサイロ等の大型で薄肉の円筒体について溶接等の検査作業を行う際に、円筒体を横向きの状態で支持して回転させることができる。
【先行技術文献】
【特許文献】
【０００３】
【特許文献１】実開平６−６２８号公報
【発明の概要】
【発明が解決しようとする課題】
【０００４】
近年、被検査物回転装置を使用して非破壊検査を行う場合、被検査物の大型肉厚化に対応して、検査装置の高出力化や高感度化などの性能向上の必要性が高まっている。
しかし、検査装置の性能向上だけでは、被検査物回転装置を駆動する電気モータから発生するノイズを除去できない。ここで、ノイズとは、ノーマルモード・ノイズやコモンモード・ノイズなどの電気的ノイズ及び電動機や電源配線から空中や磁性体を伝播してくる電磁ノイズをいう。
【０００５】
一般に、検査装置が超音波探傷装置の場合は、ノイズの影響を大きく受けることが知られている。
このノイズを低減するためには、ノイズの発生源の１つである電気モータを被検査物から絶縁することが考えられる。
しかし、ノイズは、例えば、大型品の被検査物回転装置の動力伝達機構として使用される金属製のギアやローラ等を介して、被検査物から検査装置へと伝播し、絶縁することが困難な場合がある。
例えば、絶縁物を設けることで、低周波及び中周波のノイズをある程度抑制する効果が期待される。しかし、絶縁物は、その特性上高周波ノイズを通しやすく、特に超音波探傷検査では数ＭＨｚの高周波ノイズを絶縁物のみで遮蔽することは困難である。
本発明は、発生するノイズを抑制できる検査システム及び被検査物回転装置を提供することを目的とする。
【課題を解決するための手段】
【０００６】
前記目的に沿う第１の発明に係る検査システムは、断面の外形が円形状の被検査物に接する複数のローラがそれぞれ設けられ、前記被検査物を軸回りに回転可能にそれぞれ支持する第１の支持部及び第２の支持部を有する被検査物回転装置と、
前記被検査物回転装置によって回転する前記被検査物を検査する検査装置と、を備えた検査システムにおいて、
前記被検査物回転装置は、流体によって作動し、前記第１の支持部の少なくとも１つの前記ローラを駆動するためのローラ駆動部を有する。
【０００７】
第１の発明に係る検査システムにおいて、
前記ローラ駆動部は、圧力モータであり、
前記流体が流れる圧力伝達管が前記圧力モータに接続され、該圧力伝達管は、電気的に絶縁されていることが好ましい。
【０００８】
第１の発明に係る検査システムにおいて、
前記検査装置は、超音波探傷装置であり、
前記圧力モータは、油圧モータであることが好ましい。
【０００９】
第１の発明に係る検査システムにおいて、
前記被検査物回転装置は、前記各ローラの位置を変更する位置変更機構と、
前記位置変更機構を駆動するための電気モータと、
前記電気モータのシャフトの回転を拘束させるための拘束部と、
前記被検査物を検査している間は、前記電気モータの駆動電流の供給を停止するモータ制御器と、を更に有していてもよい。
【００１０】
第１の発明に係る検査システムにおいて、
前記拘束部は機械式ブレーキであってもよい。
【００１１】
前記目的に沿う第２の発明に係る検査システムは、被検査物を軸回りに回転させる駆動部を有する被検査物回転装置と、
前記被検査物回転装置によって回転する前記被検査物を検査する検査装置と、を備えた検査システムにおいて、
前記駆動部は、流体によって作動する。
【００１２】
前記目的に沿う第３の発明に係る被検査物回転装置は、断面の外形が円形状の被検査物に接する複数のローラがそれぞれ設けられ、前記被検査物を軸回りに回転可能にそれぞれ支持する第１の支持部及び第２の支持部を有する被検査物回転装置において、
流体によって作動し、前記第１の支持部の少なくとも１つの前記ローラを駆動するためのローラ駆動部を有する。
【００１３】
前記目的に沿う第４の発明に係る被検査物回転装置は、被検査物を軸回りに回転させる駆動部を有する被検査物回転装置において、
前記駆動部は、流体によって作動する。
【発明の効果】
【００１４】
請求項１〜５記載の検査システムにおいては、ローラが流体によって作動するローラ駆動部によって駆動されるので、発生するノイズが抑制される。
【００１５】
特に、請求項２記載の検査システムにおいては、圧力モータに接続される圧力伝達管を伝播するノイズが抑制される。
【００１６】
請求項３記載の検査システムにおいては、超音波探傷装置によって、より小さな欠陥を発見できる。
【００１７】
請求項４記載の検査システムにおいては、被検査物を検査している間は、位置変更機構を駆動するための電気モータの駆動電流の供給が停止するので、被検査物を検査している間に電気モータが発生するノイズが抑制される。
【００１８】
請求項５記載の検査システムにおいては、拘束部が機械式ブレーキであるので、ノイズが抑制される。
【００１９】
また、請求項６記載の検査システムにおいては、被検査物を軸回りに回転させる駆動部が、流体によって作動するので、発生するノイズが抑制される。
【００２０】
また、請求項７記載の被検査物回転装置においては、ローラが流体によって作動するローラ駆動部によって駆動されるので、発生するノイズが抑制される。
【００２１】
また、請求項８記載の被検査物回転装置においては、被検査物を軸回りに回転させる駆動部が、流体によって作動するので、発生するノイズが抑制される。
【図面の簡単な説明】
【００２２】
【図１】本発明の第１の実施の形態に係る超音波探傷検査システムの説明図である。
【図２】（Ａ）、（Ｂ）はそれぞれ、同超音波探傷検査システムの超音波探傷装置の出力結果であって、ノイズの影響を受けていない場合の信号を示す説明図及びノイズの影響を受けた場合の信号を示す説明図である。
【図３】（Ａ）、（Ｂ）、（Ｃ）はそれぞれ、本発明の第２の実施の形態に係る超音波探傷検査システムを左側面、正面、右側面から見た場合のローラ位置変更機構の説明図である。
【発明を実施するための形態】
【００２３】
続いて、添付した図面を参照しつつ、本発明を具体化した実施の形態につき説明し、本発明の理解に供する。なお、各図において、説明に関連しない部分は図示を省略する場合がある。
【００２４】
＜第１の実施の形態＞
本発明の第１の実施の形態に係る超音波探傷検査システム（検査システムの一例）１０は、被検査物ＯＢＪを破壊することなく、その内部の欠陥を発見することができる。超音波探傷検査システム１０は、図１に示すように、被検査物回転装置１２と、超音波探傷装置（検査装置の一例）１６と、を備えている。
なお、以下、電気ノイズ等の各種ノイズについては、区別なく単に「ノイズ」という。
【００２５】
被検査物回転装置１２は、円柱状や円筒状の被検査物ＯＢＪを軸ＡＸ１（中心軸）回りに回転可能に支持できる。ここで、被検査物ＯＢＪは、例えば、鍛鋼品（圧延ロールやタービンロータ等）や鋳鋼品である。
被検査物回転装置１２は、第１の支持部２１、油圧モータ１４ａ、１４ｂ、及び第２の支持部２２を有している。
【００２６】
第１の支持部２１は、ベース部２４及び１組の駆動ローラ（ローラの一例）２６ａ、２６ｂを有している。
ベース部２４は、床面に設置される。
１組の駆動ローラ２６ａ、２６ｂは、それぞれ、図示しない軸受を介してベース部２４に設けられ、実質的に水平方向に延びる軸ＡＸ２、ＡＸ３回りに回転できる。駆動ローラ２６ａ、２６ｂは、それぞれ、被検査物ＯＢＪの一端部の下側の異なる外周位置にて、その被検査物ＯＢＪに接する。
なお、被検査物ＯＢＪの仕様等により、駆動ローラの数や配置が異なる場合がある。
【００２７】
油圧モータ（圧力モータ、ローラ駆動部、及び駆動部の一例）１４ａ、１４ｂは、作動流体の一例である油圧作動油によって動作し、駆動ローラ２６ａ、２６ｂをそれぞれ駆動できる。油圧モータ１４ａ、１４ｂは、制御装置２８によって動作が制御される。制御装置２８の内部には、油圧モータ１４ａ、１４ｂを駆動するための圧力源となる油圧ポンプ（不図示）が設けられている。この油圧ポンプは、電気モータ（不図示）によって駆動されるため、ノイズの発生源となりうる。しかし、制御装置２８が超音波探傷装置１６の超音波探触子３２から十分に離れた位置に配置されることによって、ノイズの影響を抑えられる。
また、油圧モータ１４ａ、１４ｂは、作動流体が流れる圧力伝達管３４を介して制御装置２８に接続されている。圧力伝達管３４は、絶縁ホース及び絶縁継手によって構成され、電気的に絶縁されているので、制御装置２８からのノイズが減衰する。なお、圧力伝達管３４は、高レジスタンスかつ低キャパシタンスであることが好ましい。
なお、駆動ローラ２６ａ、２６ｂのうち、少なくとも１つの駆動ローラのみが油圧モータにより駆動されてもよい。また、複数の駆動ローラが、１つの油圧モータにより駆動されてもよい。
【００２８】
第２の支持部２２は、ベース部４４及び１組の従動ローラ（ローラの一例）４６ａ、４６ｂを有している。
ベース部４４は、床面に設置される。
１組の従動ローラ４６ａ、４６ｂは、それぞれ、図示しない軸受を介してベース部４４に設けられ、実質的に水平方向に延びる軸ＡＸ４、ＡＸ５回りに回転できる。各従動ローラ４６ａ、４６ｂは、それぞれ、被検査物ＯＢＪの他端部の下側の異なる外周位置にて、その被検査物ＯＢＪに接する。
なお、被検査物ＯＢＪの仕様等により、従動ローラの数や配置が異なる場合がある。
【００２９】
超音波探傷装置１６は、超音波探触子３２を被検査物ＯＢＪの外周面に当て、欠陥の存在を示す反射波である傷エコーを電気信号に変換して検出することにより、内部の欠陥を発見できる。なお、この傷エコーは、図２（Ａ）Ｘ部に示すように現れる。
超音波探傷装置１６により発見すべき欠陥の大きさは、例えば径が３００〜３，０００ｍｍのシャフト状の被検査物ＯＢＪについて、１．５〜３．０ｍｍである。従って、超音波探傷装置１６の信号処理部３３にノイズ（図２（Ｂ）に示すＹ部参照）が混入すると、欠陥を識別することができなくなる。
【００３０】
次に、超音波探傷検査システム１０の動作について説明する。
【００３１】
（ステップＳ１）
油圧モータ１４ａ、１４ｂを駆動する。第１の支持部２１に設けられた駆動ローラ２６ａ、２６ｂがそれぞれ軸ＡＸ２、ＡＸ３回りに回転する。
【００３２】
（ステップＳ２）
駆動ローラ２６ａ、２６ｂに接触する被検査物ＯＢＪが軸ＡＸ１回りに回転する。第２の支持部２２に設けられ、被検査物ＯＢＪに接触する従動ローラ４６ａ、４６ｂがそれぞれ従動回転する。
【００３３】
（ステップＳ３）
超音波探傷装置１６の超音波探触子３２を被検査物ＯＢＪに当て、被検査物ＯＢＪを一回転させる。その結果、回転位置と欠陥の大きさとの関係を表すデータが得られる。
【００３４】
（ステップＳ４）
超音波探触子３２を軸方向に順次ずらし、前述のステップＳ３を実行する。全軸長についてデータが取得される。
【００３５】
このように、被検査物ＯＢＪを回転させる被検査物回転装置１２は、油圧モータ１４ａ、１４ｂにより駆動されるので、電気モータにより駆動される場合と比較して、超音波検査装置１６に伝播するノイズの大きさが抑えられる。
【００３６】
＜第２の実施の形態＞
続いて、本発明の第２の実施の形態に係る超音波探傷検査システム５０について説明する。第１の実施の形態に係る超音波探傷検査システム１０と同一の構成要素については、同じ符号を付して詳しい説明を省略する。
【００３７】
超音波探傷検査システム５０は、第１の支持部２１と第２の支持部２２との間の距離Ｄ１を変更する第１の位置変更機構６１（図３（Ｂ）参照）を有している。また、超音波探傷検査システム５０は、駆動ローラ２６ａと駆動ローラ２６ｂとの間の距離Ｄ２ａを変更する第２の位置変更機構６２ａ（図３（Ａ）参照）を有している。更に、超音波探傷検査システム５０は、従動ローラ４６ａと従動ローラ４６ｂとの間の距離Ｄ２ｂを変更する第２の位置変更機構６２ｂ（図３（Ｃ）参照）を有している。
【００３８】
第１の位置変更機構６１は、ボールねじ（不図示）と、このボールねじを駆動する電磁ブレーキ付き電気モータＢＭ１（図３（Ｂ）参照）を有している。第１の位置変更機構６１は、この電磁ブレーキ付き電気モータＢＭ１を用いてボールねじを駆動することによって、第１の支持部２１と第２の支持部２２との間の距離Ｄ１を変更できる。
【００３９】
第２の位置変更機構６２ａは、ボールねじ（不図示）と、このボールねじを駆動する電磁ブレーキ付き電気モータＢＭ２ａ（図３（Ａ）参照）を有している。第２の位置変更機構６２ａは、この電磁ブレーキ付き電気モータＢＭ２ａを用いてボールねじを駆動することによって、駆動ローラ２６ａと駆動ローラ２６ｂとの間の距離Ｄ２ａを変更できる。
【００４０】
第２の位置変更機構６２ｂは、ボールねじ（不図示）と、このボールねじを駆動する電磁ブレーキ付き電気モータＢＭ２ｂ（図３（Ｃ）参照）を有している。第２の位置変更機構６２ｂは、この電磁ブレーキ付き電気モータＢＭ２ｂを用いてボールねじを駆動することによって、従動ローラ４６ａと従動ローラ４６ｂとの間の距離Ｄ２ｂを変更できる。
【００４１】
なお、各電磁ブレーキは、供給される電源がオフになると作動する。
また、各位置変更機構６１、６２ａ、６２ｂが有するボールねじに代えて、ラックアンドピニオン機構とすることも可能である。
【００４２】
各電磁ブレーキ付き電気モータＢＭ１、ＢＭ２ａ、ＢＭ２ｂは、モータ制御器７０より制御される。
モータ制御器７０は、被検査物ＯＢＪを検査している間は、電磁ブレーキ付き電気モータＢＭ１、ＢＭ２ａ、ＢＭ２ｂを駆動するための電流の供給を停止する。また、モータ制御器７０は、各電磁ブレーキ（拘束部の一例）への電源供給を停止して各電磁ブレーキを作動させ、電磁ブレーキ付き電気モータＢＭ１、ＢＭ２ａ、ＢＭ２ｂのシャフトの回転を停止する。すなわち、各電磁ブレーキによって、電磁ブレーキ付き電気モータＢＭ１、ＢＭ２ａ、ＢＭ２ｂのシャフトの回転が拘束される。このように、被検査物ＯＢＪを検査している間は、各電磁ブレーキ付き電気モータＢＭ１、ＢＭ２ａ、ＢＭ２ｂ及び各電磁ブレーキに対する電源供給がそれぞれ停止されるので、電磁ブレーキ付き電気モータＢＭ１、ＢＭ２ａ、ＢＭ２ｂ及び各電磁ブレーキが発生するノイズが抑制される。
なお、電磁ブレーキは、必ずしも電気モータに内蔵されている必要はなく、電気モータのシャフトの回転を停止させることができればよい。また、電磁ブレーキに代えて、機械式ブレーキとしてもよい。
【００４３】
本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００４４】
検査システムは、超音波探傷検査システムに限定されるものではなく、ノイズにより検査結果に影響を受ける検査装置を備えている検査システムであれば、任意でよい。
【００４５】
また、被検査物ＯＢＪの形状は、円柱状、円筒状、シャフト状に限定されるものではなく、ディスク状であってもよい。被検査物ＯＢＪは、断面の外形が円形状であればよい。
【００４６】
また、圧力モータは、水圧モータや空気圧モータであってもよく、発生するノイズの大きさが検査結果に影響を及ぼさない程度に十分に小さいモータであれば、任意でよい。なお、圧力モータに接続される圧力伝達管を流れる作動流体は、高レジスタンス（高抵抗）且つ低キャパシタンス（低静電容量）であることが好ましい。作動流体として、例えば、油圧作動油、水、及び空気などのガスが選定される。
【００４７】
また、拘束部は、電磁ブレーキや機械式ブレーキに限定されるものではなく、ばね及び油圧クランプを用いた機構としてもよい。
【符号の説明】
【００４８】
１０  超音波探傷検査システム、１２：被検査物回転装置、１４ａ、１４ｂ：油圧モータ、１６：超音波探傷装置、２１：第１の支持部、２２：第２の支持部、２４：ベース部、２６ａ、２６ｂ：駆動ローラ、２８：制御装置、３２：超音波探触子、３３：信号処理部、３４：圧力伝達管、４４：ベース部、４６ａ、４６ｂ従動ローラ、５０：超音波探傷検査システム、６１：第１の位置変更機構、６２ａ、６２ｂ：第２の位置変更機構、７０：モータ制御器、ＢＭ１、ＢＭ２ａ、ＢＭ２ｂ：電磁ブレーキ付き電気モータ、ＯＢＪ：被検査物
【図１】
2014006120.tif 000003
【図２】
2014006120.tif 000004
【図３】
2014006120.tif 000005